【手続補正書】
【提出日】平成17年6月27日(2005.6.27)
【手続補正１】
【補正対象書類名】明細書
【補正対象項目名】特許請求の範囲
【補正方法】変更
【補正の内容】
【特許請求の範囲】
【請求項１】
画像データを出力する出力手段と、
前記出力手段による出力時の動作音を集音する集音手段と、
前記出力手段により出力される該画像データを前記集音手段により集音される集音データとともにジョブ単位にジョブ情報として蓄積する蓄積手段と、
を有することを特徴とする画像処理装置。
【請求項２】
画像データを出力する出力手段と、
撮像対象を撮像してデータに変換可能な撮像手段と、
前記出力手段により出力される該画像データを、前記撮像手段により撮像される出力物の撮像データとともにジョブ単位にジョブ情報として蓄積する蓄積手段と、
を有することを特徴とする画像処理装置。
【請求項３】
画像データを出力する出力手段と、
前記出力手段による出力時の動作音を集音する集音手段と、
撮像対象を撮像してデータに変換可能な撮像手段と、
前記出力手段により出力される該画像データを、前記集音手段により集音される集音データと前記撮像手段により撮像される出力物の撮像データとともにジョブ単位にジョブ情報として蓄積する蓄積手段と、
を有することを特徴とする画像処理装置。
【請求項４】
原稿画像を読み取る読取手段を更に有し、
前記画像データは該読取手段により読み取られたスキャン画像データであって、
前記蓄積手段は該スキャン画像データを該蓄積されたジョブ情報と関連付けて蓄積することを特徴とする請求項１乃至３記載の画像処理装置。
【請求項５】
所定の通信回線を介して出力画像を受信する受信手段を更に有し、
前記画像データは該受信手段により受信された受信画像データであって、
前記蓄積手段は該受信画像データを該蓄積されたジョブ情報と関連付けて蓄積することを特徴とする請求項１乃至３記載の画像処理装置。
【請求項６】
サーバ装置と通信可能な画像処理装置であって、
前記撮像手段により撮像される前記原稿画像の原稿撮像データと、前記蓄積手段に蓄積されている原稿画像のスキャン画像データとを比較診断処理して送信の可否を判定する第１の判定手段と、
前記第１の判定手段により送信すべきであると判定された場合に、前記撮像手段により撮像される原稿画像の原稿撮像データと、前記蓄積手段に蓄積されている原稿画像のスキャン画像データに対するジョブ情報とを前記サーバ装置に送信する第１の送信手段と、
を有することを特徴とする請求項１乃至４記載の画像処理装置。
【請求項７】
サーバ装置と通信可能な画像処理装置であって、
前記撮像手段により撮像される前記出力手段から出力される出力画像の出力物撮像データと前記蓄積手段に蓄積されている原稿画像のスキャンデータとを比較診断処理して送信の可否を判定する第２の判定手段と、
前記第２の判定手段により送信すべきであると判定された場合に、前記蓄積手段に蓄積されている前記スキャンデータに対するジョブ情報を前記サーバ装置に送信する第２の送信手段と、
を有することを特徴とする請求項１乃至４記載の画像処理装置。
【請求項８】
サーバ装置と通信可能な画像処理装置であって、
前記撮像手段により撮像される前記出力手段から出力される出力画像の出力物撮像データと前記蓄積手段に蓄積されている前記受信画像データとを比較診断処理して送信の可否を判定する第３の判定手段と、
前記第３の判定手段により送信すべきであると判定された場合に、前記蓄積手段に蓄積されている前記受信画像データに対するジョブ情報を前記サーバ装置に送信することを特徴とする第３の送信手段と、
を有することを特徴とする請求項１乃至３または請求項５記載の画像処理装置。
【請求項９】
サーバ装置と通信可能な画像処理装置であって、
前記撮像手段は前記画像処理装置の本体から分離して可搬移動可能となって撮像対象を撮像可能であり、
ユーザにより介助されて前記撮像手段により撮像される前記出力手段の特定部位近傍のトラブル状況を監視画像データとして前記サーバ装置に転送する第４の送信手段を有することを特徴とする請求項２または３記載の画像処理装置。
【請求項１０】
所定の通信網を利用して請求項６乃至８記載の画像処理装置と通信可能なサーバ装置であって、
前記画像処理装置で処理された、前記第１から３のいずれかの送信手段から送られるジョブ情報を取得する第１の取得手段と、
前記第１の取得手段により取得されたジョブ情報中の検証対象画像データとを表示装置に対向表示する第１の表示制御手段と、
を有することを特徴とするサーバ装置。
【請求項１１】
前記第１の取得手段により取得された前記画像処理装置で処理されたジョブ情報中の動作音データを可聴音として再生する再生手段を有することを特徴とする請求項１０記載のサーバ装置。
【請求項１２】
所定の通信網を利用して請求項９記載の画像処理装置と通信可能なサーバであって、
前記撮像手段により撮像される前記画像処理装置の外観または内部の状況を示す監視画像データを取得する第２の取得手段と、
前記第２の取得手段により取得された監視画像データを表示装置に表示する第２の表示制御手段と、
を有することを特徴とするサーバ装置。
【請求項１３】
所定の通信網を利用してサーバ装置と画像処理装置とが通信可能な画像処理システムであって、
前記画像処理装置は、
画像データを出力する出力手段と、
前記出力手段による出力時の動作音を集音する集音手段と、
撮像対象を撮像してデータに変換可能な撮像手段と、
前記出力手段により出力される該画像データを、前記集音手段により集音される集音データと前記撮像手段により撮像される出力物の撮像データとともにジョブ単位にジョブ情報として蓄積する蓄積手段と、
該蓄積手段に蓄積されている情報を前記サーバ装置に送信する送信手段とを備え、
前記サーバ装置は、
前記画像処理装置に接続可能な撮像手段に撮像された映像データおよび前記画像処理装置で処理されたジョブ情報とを取得する取得手段と、
前記第１の取得手段により取得された撮像データおよび前記画像処理装置で処理されたジョブ情報中の検証対象画像データを表示装置に対向表示する表示制御手段と、
前記取得手段により取得された前記画像処理装置で処理されたジョブ情報中の動作音データを可聴音として再生する再生手段と、
を備えることを特徴とする画像処理システム。
【請求項１４】
所定の通信網を利用してサーバ装置と通信可能な画像処理装置における画像処理装置管理方法であって、
出力手段により画像データを出力する出力ステップと、
前記出力手段による出力時の動作音を集音手段により集音する集音ステップと、
撮像手段により撮像対象を撮像して映像データに変換する撮像ステップと、
前記出力手段により出力される該画像データを前記集音手段により集音される集音データとともにジョブ単位にジョブ情報として蓄積手段に蓄積する蓄積ステップと、
該蓄積手段に蓄積されている情報を前記サーバ装置に送信する送信ステップと、を有することを特徴とする画像処理装置管理方法。
【請求項１５】
サーバ装置と通信可能な画像処理装置を請求項１〜１２のいずれかに記載の画像処理装置管理として機能させることを特徴とするプログラム。
【請求項１６】
請求項１８記載のプログラムを記憶したことを特徴とするコンピュータが読み取り可能な記憶媒体。
【手続補正２】
【補正対象書類名】明細書
【補正対象項目名】００１１
【補正方法】変更
【補正の内容】
【００１１】
【問題点を解決するための手段】
本発明に係る第１の発明は、画像データを出力する出力手段と、前記出力手段による出力時の動作音を集音する集音手段と、前記出力手段により出力される該画像データを前記集音手段により集音される集音データとともにジョブ単位にジョブ情報として蓄積する蓄積手段とを有することを特徴とする。
【手続補正３】
【補正対象書類名】明細書
【補正対象項目名】００１２
【補正方法】変更
【補正の内容】
【００１２】
本発明に係る第２の発明は、画像データを出力する出力手段と、撮像対象を撮像してデータに変換可能な撮像手段と、前記出力手段により出力される該画像データを、前記撮像手段により撮像される出力物の撮像データとともにジョブ単位にジョブ情報として蓄積する蓄積手段とを有することを特徴とする。
【手続補正４】
【補正対象書類名】明細書
【補正対象項目名】００１３
【補正方法】変更
【補正の内容】
【００１３】
本発明に係る第３の発明は、画像データを出力する出力手段と、前記出力手段による出力時の動作音を集音する集音手段と、撮像対象を撮像してデータに変換可能な撮像手段と、前記出力手段により出力される該画像データを、前記集音手段により集音される集音データと前記撮像手段により撮像される出力物の撮像データとともにジョブ単位にジョブ情報として蓄積する蓄積手段とを有することを特徴とする。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】
【手続補正２７】
【補正対象書類名】明細書
【補正対象項目名】００３６
【補正方法】削除
【補正の内容】
【手続補正２８】
【補正対象書類名】明細書
【補正対象項目名】００３７
【補正方法】削除
【補正の内容】
【手続補正２９】
【補正対象書類名】明細書
【補正対象項目名】００３８
【補正方法】削除
【補正の内容】
【手続補正３０】
【補正対象書類名】明細書
【補正対象項目名】００３９
【補正方法】削除
【補正の内容】
【手続補正３１】
【補正対象書類名】明細書
【補正対象項目名】００４０
【補正方法】削除
【補正の内容】
【手続補正３２】
【補正対象書類名】明細書
【補正対象項目名】００４１
【補正方法】削除
【補正の内容】
【手続補正３３】
【補正対象書類名】明細書
【補正対象項目名】０１３２
【補正方法】変更
【補正の内容】
【０１３２】
【発明の効果】
以上説明したように、本発明によれば、出力手段による画像データの出力時の動作音を集音し、該画像データを該集音される集音データとともにジョブ単位にジョブ情報として蓄積するので、各ジョブ実行時における動作音を集音して管理できるため、何らかのトラブルやエラーが発生した時に、どのような状況で発生したのか、そのプロセスを把握可能となり、問題解決を迅速に図ることが可能となる。
【手続補正３４】
【補正対象書類名】明細書
【補正対象項目名】０１３３
【補正方法】変更
【補正の内容】
【０１３３】
また、出力手段により出力される該画像データを、撮像手段により撮像される出力物の撮像データとともにジョブ単位にジョブ情報として蓄積するので、画像データと出力物の撮像データとを映像として直接的に比較して把握することができ、適切なカラーバランス調整や画像不良診断等に利用することが可能となる。